(57)【要約】【課題】シーク機能の利便性を向上した放送受信装置を提供する。【解決手段】異なる周波数を用いて同一放送を行うＲＤＳ放送局を含む、複数の放送局からの放送を受信可能な放送受信装置において、前記ＲＤＳ放送局の一の周波数による放送を受信中にシーク機能が実行されたとき、一の周波数による放送の受信状態に基づいて、当該ＲＤＳ放送局の他の周波数による放送を選局対象とするか否かを判定する選局判定部１０を備えることを特徴とする。【選択図】図１
2013016960.tif 000002
【特許請求の範囲】
【請求項１】
異なる周波数を用いて同一放送を行うＲＤＳ放送局を含む、複数の放送局からの放送を受信可能な放送受信装置において、前記ＲＤＳ放送局の一の周波数による放送を受信中にシーク機能が実行されたとき、一の周波数による放送の受信状態に基づいて、当該ＲＤＳ放送局の他の周波数による放送を選局対象とするか否かを判定する選局判定部を備えることを特徴とする放送受信装置。
【請求項２】
前記選局判定部は、前記一の周波数による放送の受信状態と、予め設定された閾値と、を比較して受信状態が良好であるか、或いは、悪化状態であるかを判定し、
前記一の周波数による放送の受信状態が良好であると判定された場合には、前記ＲＤＳ放送局の他の周波数による放送を選局対象から除外し、前記受信状態が悪化状態であると判定された場合には、前記他の周波数による放送を選局対称から除外しないことを特徴とする請求項１に記載の放送受信装置。
【発明の詳細な説明】
【技術分野】
【０００１】
本発明は、ＲＤＳを利用したラジオ放送を受信する放送受信装置に関する。
【背景技術】
【０００２】
従来、ＲＤＳ(Radio Data System)を利用して、ＦＭ放送に放送内容等を示すデジタルデータ（ＲＤＳデータ）を多重化し、各種のサービスを提供するＲＤＳ放送が知られている。ＲＤＳ放送を行うＲＤＳ放送局では、同じ放送を複数の異なる周波数（代替周波数）で行っている。このため、ＲＤＳデータには、放送局を識別するためのＰＩコード（Program Identification Code）と、異なる周波数で同じ放送を行っている代替周波数（ＡＦ：Alternative Frequency）のリストと、が含まれている。ＲＤＳ放送を受信する放送受信装置は、ＲＤＳデータを利用して、同調している周波数のサービスエリアから外れてしまった場合に、選局中のＲＤＳ放送局に共通のＰＩコードを有する最も受信状態の良い代替周波数に自動で同調する追従動作を行うことでＲＤＳ放送局からの受信信号の受信状態を安定させている（例えば、特許文献１参照）。
【先行技術文献】
【特許文献】
【０００３】
【特許文献１】特開平６−６９７６５号公報
【発明の概要】
【発明が解決しようとする課題】
【０００４】
ところで、ラジオ放送を受信する放送受信装置では、シーク機能と呼ばれる、ラジオ放送の全周波数帯域をスキャンして、受信可能な電波状態にある周波数を自動で検索して同調する機能を備えているものがある。この種の放送受信装置では、異なる周波数で同じ放送を行うＲＤＳ放送局の一の周波数による放送を受信中にユーザーがシーク機能を実行した場合、シーク機能実行前のＲＤＳ放送局の他の周波数による放送を選局対象とする、或いは、シーク機能実行前のＲＤＳ放送局の他の周波数による放送は選局対象としない、といういずれかの方式で選局していた。
【０００５】
しかしながら、シーク機能実行前のＲＤＳ放送局の他の周波数による放送も選局対象とする方式を用いた場合、ユーザーは視聴していたＲＤＳ放送局とは異なる放送局に選局したいためにシーク機能を実行したが、ＲＤＳ放送局の代替周波数に同調されてしまう場合がある。一方、シーク機能実行前のＲＤＳ放送局の他の周波数には停止しない方式で選局した場合、ユーザーは、受信状態が悪化してもう一度同じＲＤＳ放送局を視聴したい理由でシーク機能を実行したが、ＲＤＳ放送局の代替周波数には同調されず、仮に、そのＲＤＳ放送局しか受信できない電波状態にある場合には、受信可能な周波数に同調されない場合がある。このように、従来の放送受信装置では、ユーザーが望む放送局に選局するためには、手動でシーク機能の選局方式を切り替える、或いは、手動で聞きたい番組を放送している放送局の周波数に同調させる必要があり、シーク機能の利便性が悪かった。
【０００６】
本発明は、上述した従来の技術が有する課題を解消し、シーク機能の利便性を向上した放送受信装置を提供することを目的とする。
【課題を解決するための手段】
【０００７】
上記目的を達成するために、本発明は、異なる周波数を用いて同一放送を行うＲＤＳ放送局を含む、複数の放送局からの放送を受信可能な放送受信装置において、前記ＲＤＳ放送局の一の周波数による放送を受信中にシーク機能が実行されたとき、一の周波数による放送の受信状態に基づいて、当該ＲＤＳ放送局の他の周波数による放送を選局対象とするか否かを判定する選局判定部を備えることを特徴とする。
【０００８】
この構成において、前記選局判定部は、前記一の周波数による放送の受信状態と、予め設定された閾値と、を比較して受信状態が良好であるか、或いは、悪化状態であるかを判定し、前記一の周波数による放送の受信状態が良好であると判定された場合には、前記ＲＤＳ放送局の他の周波数による放送を選局対象から除外し、前記受信状態が悪化状態であると判定された場合には、前記他の周波数による放送を選局対称から除外しない構成としても良い。
【発明の効果】
【０００９】
本発明によれば、ＲＤＳ放送局の一の周波数による放送を受信中にシーク機能が実行されたとき、一の周波数による放送の受信状態に基づいて、当該ＲＤＳ放送局の他の周波数による放送を選局対象とするか否かを判定する選局判定部を備えるため、ユーザーは、手動でシーク機能の選局方式を切り替える、或いは、手動で聞きたい番組を放送している放送局の周波数に同調させることなく、シーク機能を実行することで望む放送局に選局することができるようになり、シーク機能の操作性を向上することができる。
【図面の簡単な説明】
【００１０】
【図１】本発明の実施形態に係る放送受信装置の機能的構成を示すブロック図である。
【図２】放送受信装置の動作を示すフローチャートである。
【発明を実施するための形態】
【００１１】
以下、図面を参照して本発明の実施形態について説明する。
図１は、本発明を適用した実施形態に係る放送受信装置１の機能的構成を示すブロック図である。この放送受信装置１は、異なる周波数（代替周波数）を用いて同一放送を行うＲＤＳ放送局を含む、複数のラジオ放送局からの放送を受信して車室内に音声出力する車載用ラジオ放送受信装置として構成されている。放送受信装置１は、車載用ラジオ放送受信装置の他にも、例えば、携帯型のラジオ放送受信装置である構成であっても良い。
【００１２】
図１に示すように、放送受信装置１は、マイクロコンピュータ（選局判定部）１０、受信アンテナ１１、チューナー回路１２、帯域フィルター１３、ＩＦ−Ａ／Ｄ回路１４、検波回路（受信状態検出部）１５、オーディオ処理回路１６、Ｄ／Ａコンバータ回路１７、パワーアンプ回路１８、スピーカー１９、ＲＤＳ復調回路２０、ＰＬＬ回路２１、操作キー２３、ディスプレイ２４を備える。
【００１３】
マイクロコンピュータ１０は、ユーザーによる操作キー２３への操作を検出し、ユーザー操作に基づいてＰＬＬ回路２１を制御し、任意の放送局からの放送周波数に同調するための同調周波数信号を生成する。マイクロコンピュータ１０は、チューナー回路１２を制御して、ＰＬＬ回路２１で生成された同調周波数信号に基づく周波数に同調し、この周波数からの放送信号を受信する。
【００１４】
受信アンテナ１１で受信された受信信号は、チューナー回路１２でＩＦ（Intermediate Frequency）信号に変換され、帯域フィルター１３を通して、ＩＦ−Ａ／Ｄ１４回路に入力される。ＩＦ−Ａ／Ｄ回路１４に入力されたＩＦ信号は、検波回路１５でオーディオ信号に検波され、オーディオ処理回路１６に入力される。オーディオ処理回路１６に入力されたオーディオ信号は音量等のオーディオ信号処理を行い、Ｄ／Ａコンバータ回路１７でディジタル信号からアナログ信号に変換される。Ｄ／Ａコンバータ回路１７でアナログ信号に変換されたオーディオ信号は、パワーアンプ回路１８を通して、スピーカー１９から車室内に出力される。
【００１５】
検波回路１５は、ＩＦ検波回路１５Ａ、ＲＤＳ検波回路１５Ｂ、ノイズキャンセル回路１５Ｃ、ＭＰＸ（弱電界処理）回路１５Ｄを備える。検波回路１５は、受信信号の受信状態を検出する受信状態検出部としての役割を果たし、ＩＦ検波回路１５Ａ、ＲＤＳ検波回路１５Ｂ、ノイズキャンセル回路１５Ｃ、ＭＰＸ（弱電界処理）回路１５Ｄから出力される信号をマイクロコンピュータ１０に入力する。詳細については後述するが、マイクロコンピュータ１０は、ＲＡＭ１０Ａを備え、ＲＡＭ１０Ａに検波回路１５から入力された信号を一時的に記憶する。また、マイクロコンピュータ１０は、検波回路１５から入力された信号に基づいて、受信信号の受信状態が良好であるか、或いは悪化状態にあるかを判定する。
【００１６】
また、検波回路１５のＲＤＳ検波回路１５Ｂで、ＩＦ信号から検波されたＲＤＳ信号は、ＲＤＳ復調回路２０に入力され、復調される。ＲＤＳ信号からは、ＲＤＳ復調回路２０を介してＲＤＳ放送局に係るＲＤＳデータが抽出されて、解読（複合化）される。ＲＤＳ復調回路２０で抽出され解読されたＲＤＳデータは、マイクロコンピュータ１０に入力され、ＲＡＭ１０Ａに一時的に記憶される。ＲＤＳデータには、ＲＤＳ放送局を識別するＰＩコードと、異なる周波数で同じ放送を行うＲＤＳ放送局の代替周波数リスト（ＡＦリスト）が含まれる。また、ＲＤＳデータには、放送中の内容に関するデータ、例えば、放送中の番組が属するジャンル、放送中の番組のタイトル、放送中の楽曲の曲名等が付加されている。マイクロコンピュータ１０は、ＲＡＭ１０Ａに記憶したＲＤＳデータに基づいて、選局中の放送局、或いは、放送中の内容に関するデータから任意のデータをディスプレイ２４に表示させる。
【００１７】
次に、異なる周波数を用いて同一放送を行うＲＤＳ放送局の一のＲＤＳ放送局の周波数による放送を受信中に、ラジオ放送の全周波数帯域をスキャンして受信可能な周波数を検索するシーク動作を行って選局するシーク機能を実行した際の放送受信装置１の動作について、図２のフローチャートを用いて説明する。
ＲＤＳ放送局の一の周波数による放送を受信中にシーク機能を実行する操作を操作キー２３を介してユーザーが行ったことを検出すると、マイクロコンピュータ１０は、検波回路１５から入力される信号に基づいて、受信信号の電界強度と、マルチパス妨害、及び、隣接妨害から算出されるノイズ値とを算出し、これらを、受信中の一の周波数のＲＤＳ放送局を識別するためのＰＩコードとともにＲＡＭ１０Ａに記憶する（ステップＳ１）。
【００１８】
続いて、マイクロコンピュータ１０は、ＰＬＬ回路２１を制御し、同調させる周波数を、受信中の周波数から１ステップ分（０．１ＭＨｚ）進めた同調周波数信号を生成する（ステップＳ２）。シーク動作では、ラジオ放送の全周波数帯域を、上述のように、受信中の周波数を起点として検索する構成であっても良いし、或いは、ラジオ放送の全周波数帯域の最小周波数、または、最大周波数を起点として検索する構成であっても良い。
【００１９】
次に、マイクロコンピュータ１０は、チューナー回路１２を制御し、ＰＬＬ回路２１で生成した同調周波数信号に同調する周波数の放送信号を受信して、この周波数の放送信号の電界強度とノイズ値とを検波回路１５から入力される信号に基づいて算出する有局判定処理を行う（ステップＳ３）。
続いて、ステップＳ３の有局判定処理で算出した、電界強度とノイズ値とを、予め設定されたシーク動作停止用閾値と比較し、この周波数に受信可能な放送局があるか否か（有局か否か）を判定する（ステップＳ４）。
ステップＳ４で、受信可能な放送局はない、つまり、有局ではない（ステップＳ４：Ｎｏ）と判定した場合には、マイクロコンピュータ１０は、ステップＳ２に戻り、ＰＬＬ回路２１を制御して、同調させる周波数をもう１ステップ分進めた同調周波数信号を生成する。
【００２０】
ステップＳ２で生成した同調周波数信号と同調する周波数に受信可能な放送局がある場合（ステップＳ４：Ｙｅｓ）、次にマイクロコンピュータ１０は、シーク機能実行前の受信状態が良好であったか否かを判定する（ステップＳ５）。シーク機能実行前の受信状態の判定では、マイクロコンピュータ１０は、ステップＳ１でＲＡＭ１０Ａに記憶したＲＤＳ放送局の一の周波数による放送の受信状態（電界強度とノイズ値）と、予め設定されている閾値とを比較して、ステップＳ１で記憶した受信状態が閾値よりも下であれば、シーク機能実行前の受信状態は悪化状態であったと判定し（ステップＳ５：Ｎｏ）、ステップＳ４で受信可能と判定された放送局に選局してシーク動作を停止する。
【００２１】
ステップＳ５において、ステップＳ１で記憶したＲＤＳ放送局の一の周波数による放送の受信状態が閾値よりも上であり、シーク機能実行前の受信状態は良好であったと判定した場合（ステップＳ５：Ｙｅｓ）、マイクロコンピュータ１０は、次に、ステップＳ４で受信可能と判定された放送局のＰＩコードを取得する（ステップＳ６）。次に、マイクロコンピュータ１０は、ステップＳ１でＲＡＭ１０Ａに記憶したＰＩコードと、ステップＳ６で取得したＰＩコードと、を比較して、これらのＰＩコードが一致するか否かを判定する（ステップＳ７）。
【００２２】
ステップＳ１でＲＡＭ１０Ａに記憶したＰＩコードと、ステップＳ６で取得したＰＩコードと、が一致する場合（ステップＳ７：Ｙｅｓ）は、ステップＳＳ４で受信可能と判定された周波数は、シーク機能実行前に受信していたＲＤＳ放送局の他の周波数、つまり一の周波数の代替周波数である。シーク機能実行前の受信状態が良好であった場合、ユーザーは、他の放送局を視聴するためにシーク機能を動作したと考えられるため、マイクロコンピュータ１０は、ＲＤＳ放送局の一の放送局の代替周波数である、他の周波数による放送は選局対象とはせず、ステップＳ２に戻り、ＰＬＬ回路２１を制御して、同調させる周波数をもう１ステップ分進めた同調周波数信号を生成する。
【００２３】
ステップＳ１でＲＡＭ１０Ａに記憶したＲＤＳ放送局の一の周波数による放送のＰＩコードと、ステップＳ６で取得したＰＩコードと、が一致しない場合、或いは、ステップＳ６で予め設定された時間内にＰＩコードが取得できなかった場合（ステップＳ７：Ｎｏ）、マイクロコンピュータ１０は、ステップＳ４で受信可能と判定された放送局に選局してシーク動作を停止する。
ステップＳ１でＲＡＭ１０Ａに記憶したＰＩコードと、ステップＳ６で取得したＰＩコードとが一致しない場合は、ステップＳ４で受信可能と判定された周波数は、シーク機能実行前に選局されていたＲＤＳ放送局の他の周波数ではなく、マイクロコンピュータ１０は、ステップＳ４で受信可能と判定された放送局を選局対象であると判断する。また、ステップＳ６で予め設定された時間内にＰＩコードが取得できなかった場合は、ステップＳ４で受信可能と判定された周波数を用いて放送を行う放送局は、ＲＤＳを用いて放送を行う放送局ではない、つまり、シーク機能実行前に選局されていたＲＤＳ放送局の他の周波数ではなく、マイクロコンピュータ１０は、ステップＳ４で受信可能と判定された放送局を選局対象であると判断する。
【００２４】
本実施計形態では、選局できる放送局が見つかるまで、マイクロコンピュータ１０は、ステップＳ１からステップＳ７のシーク動作を継続する構成としたが、これに限らず、選局不可となった場合に、シーク動作を停止させる条件が図２に示したフローチャートの途中にあっても良い。例えば、図示は省略したが、マイクロコンピュータ１０は、ステップＳ１からステップＳ７のシーク動作を全周波数帯域内で所定数周（ＦＭ波の場合、例えば、７６ＭＨｚから１０８ＭＨｚまで）繰り返しても選局できる放送局が無かった場合には、選局不可と判断して、シーク動作を停止する構成であっても良い。或いは、マイクロコンピュータ１０は、ステップＳ１からステップＳ７のシーク動作を所定時間継続して行っても選局できる放送局が無かった（タイムアウトした）場合には、選局不可と判断しシーク動作を停止する構成であっても良い。マイクロコンピュータ１０が選局不可であると判断した場合には、例えばディスプレイ２４への表示を用いて、選局不可である旨をユーザーに知らせる構成であっても良い。
【００２５】
これらの構成によれば、シーク機能実行前に受信していたＲＤＳ放送局の一の周波数による放送の受信信号の受信状態が良好な場合には、ユーザーは、別の放送局を受信したいためにシーク機能を実行したと考えられるため、マイクロコンピュータ１０は、シーク機能実行前に受信していたＲＤＳ放送局の他の周波数による放送を選局対象とせず、受信信号から取得されるＰＩコードに基づいて、他の周波数に同調しないようにシーク機能を実行させることができる。また、シーク機能実行前に受信していたＲＤＳ放送局の一の周波数による放送の受信信号の受信状態が悪化状態である場合には、ユーザーは、受信状態が悪化したためにシーク機能を実行し、シーク機能実行前に受信していた放送局と同一のＲＤＳ放送局を再び視聴することを望んでいる可能性もあるため、マイクロコンピュータ１０は、シーク機能実行前に受信していたＲＤＳ放送局の他の周波数による放送も選局対象とし、同調した周波数からの受信信号の受信状態に基づいて有局か否かを判定し、有局であればこの局に選局させるようにシーク機能を実行することができる。
【００２６】
このように、マイクロコンピュータ１０は、シーク機能実行前の受信状態が良好であるか、或いは、悪化状態であるかを判定し、この判定結果に基づいて、シーク機能実行前に受信していたＲＤＳ放送局の他の周波数による放送を選局対象から除外するか否かを自動で切り替えるため、ユーザーは、手動でシーク機能の選局方式を切り替える、或いは、手動で聞きたい番組を放送している放送局の周波数に同調させることなく、シーク機能を実行することで望む放送局に選局することができるようになり、シーク機能の操作性が向上する。
【符号の説明】
【００２７】
１  放送受信装置
１０  マイクロコンピュータ（選局判定部）
１５  検波回路（受信状態検出部）
【図１】
2013016960.tif 000003
【図２】
2013016960.tif 000004